(57)【要約】      （修正有）【課題】より一層の軽量にして剛性を高く構成された新規ダンボール板材の採用により構成されたダンボール製の家具を提供する。【解決手段】箱型の外形体４と、外形体４に挿入される引き出し５とを備える段ボール製の家具１０であって、外形体４および引き出し５を構成する段ボールは、外面側と内面側を形成する２枚の紙シート１、２と、２枚の紙シート１、２の間に配置され、多角形の断面を有する中間紙とからなる。外形体４または引出し５に分離線Ｌを設け、分離線Ｌに貼付帯Ｏを貼り付けた。【選択図】図１
0003222387.tif 000002
【実用新案登録請求の範囲】
【請求項１】
家具を構成するダンボールは、外側と内側２枚の紙シートと、上記紙シートの間に中間紙を蜂の巣状等の多角形断面として全方向に対して剛性の高いダンボールとし、上記ダンボールを外形体や引出しその他の部材からなる各種家具に対応構成されることを特徴とするダンボール製の家具。
【請求項２】
上記請求項１のダンボール製の家具において、外形体や引出しその他の部材の分離線に貼付帯を貼り付けたことを特徴とするダンボール製の家具。
【請求項３】
上記請求項１のダンボール製の家具において、箱型に形成される外形体や引出しは、紙シートの間の中間紙が外側シートと内側シートとを直角に折り曲げ可能に構成されていることを特徴とするダンボール製の家具。
【請求項４】
上記請求項１〜３のダンボール製の家具は、整理タンス、チェスト、書籍ボックス他、簡易ハウス、簡易ベッド、簡易机等の任意構造物であることを特徴とするダンボール製の家具。
【考案の詳細な説明】
【技術分野】
【０００１】  本考案は、例えば家具の改良に係わり、特に、ダンボールにより製造された家具において、より一層の軽量にして剛性を高く構成されたダンボール板材の採用により構成された新規ダンボールによる各種形状・用途のダンボール製家具に関する。
【背景技術】
【０００２】  従来のダンボール製の家具は、特許文献１に見るように、組立、分解が可能な、強度性に優れ、体裁の良い組立て家具を提供されている。その構成は、背板１１の両側部に折目を介し順に外側板１２、内側板１３を設け、内側板の外端から平行間隔で水平方向に複数の差込み溝１４を形成した本体１、上板２１に折目を介し下板２２を設け、上板の両側部に折目を介し上向き片２３を設け、下板の両側部に折目を介し下向き片２４を設けた複数の棚２、外板３１の後端部に折目を介し差込み片３２を設け、外板の前端部に折目を介し内板３３を設け、外板の両側部に折目を介し補強翼片３４を設け、内板の両側部に折目を介し差込み片部に折目を介し内板４３を設け、外板の両側部に折目を介し補強翼片４４を設け、内板の両側部に折目を介し差込み片４５を設けた底板４、を厚紙で作製し、これら本体、棚天板、底板を各折目から折り曲げ、組み立てたものである（特許文献１）。【０００３】  また、特許文献２は、ダンボールからなるリサイクル可能なキッズ用組立家具であって、部品梱包状態で運搬し、現地で梱包から取り出して組み立て、保管、運搬等の際のスペース効率を高めることができ、構造を工夫し、子供でも組み立てることができる、リサイクル可能なキッズ用組立家具を提供する。
その構成は、（１）ダンボール製の板であって他のダンボール製の板に延展部を差し込むための矩形断面の嵌入孔部を持つ部材、（２）ダンボール製の板であって、他のダンボール製の嵌入孔部に差し込むための開口部を持つ延展部を持つ部材、（３）ダンボール製の板であって他のダンボール製の板に延展部を差し込むための矩形断面の嵌入孔部、および、他のダンボール製の嵌入孔部に差し込むための開口部を持つ延展部を持つ部材、（４）延展部の開口部に挿入するストッパーである（特許文献２）。
【先行技術文献】
【特許文献】
【０００４】
【特許文献１】特開２０１３−１１１３１９号公報
【特許文献２】実用新案登録第３２１００９号公報
【考案の概要】
【考案が解決しようとする課題】
【０００５】  上記特許文献１は、１枚のダンボール板材の両側部や上下部に折目を付け、各々折目で折り曲げて箱体を形成してなるから、一見強度が強そうに見えるが、組立てた箱体のねじりや箱体の各板材面の中央部に対する押圧力に対して凹んで変形し易い欠点が見られる。また、箱体の解体時に折目に沿って折り畳みができるものの、折り畳んだ時の各板材大きさが不揃いとなり、廃品回収時に折り畳み体積が大きくなる問題がある。【０００６】  また、特許文献２は、各ダンボール板材の組立には、一方の板材の接合縁に嵌入孔部（長穴スリット）を設け、他方の板材の縁に設けた嵌入孔部（凸片）を挿入して組立てるから接合部の強度が非常に弱く、組立後に捻り力に対して非常に弱く歪んでしまと言う問題点が指摘される。また、解体時は容易に作業できるものの、燃えるゴミの廃品回収時に折り畳み体積が大きくなる問題がある。
【課題を解決するための手段】
【０００７】  本考案は、上記ダンボール製の家具の問題点に見られる課題に鑑みてなされたもので、上記公知のダンボールは、２枚のシート紙の間に波板紙をサンドイッチ状に挟んだ構成からなるから、強い圧迫や曲げに対して限界点が低く容易に曲がり変形を起こす。ここに鑑みて、中間紙を蜂の巣状等の全方向に対して剛性の高いダンボールを採用することで、ダンボール製の家具を軽量にして剛性の高いものとし、また、地震時に家具が倒れて下敷きになっても安全であり、引越し時には分離線に貼り付けた貼付帯を剥がすことで家具のダンボールを簡単容易に折り畳めて、片付け仕事が簡便である。【０００８】  即ち、本考案のダンボール製の家具は、外側と内側２枚の紙シートと、上記紙シートの間に中間紙を蜂の巣状等の多角形断面として全方向に対して剛性の高いダンボールとし、上記ダンボールを外形体や引出しその他の部材からなる各種家具に対応構成されることを特徴とする。
更に、ダンボール製の家具において、外形体や引出しその他の部材の分離線に貼付帯を貼り付けたことを特徴とする。
更に、ダンボール製の家具において、箱型に形成される外形体や引出しは、紙シートの間の中間紙が外側シートと内側シートとを直角に折り曲げ可能に構成されていることを特徴とする。
更に、ダンボール製の家具は、整理タンス、チェスト、書籍ボックス他、簡易ハウス、簡易ベッド、簡易机等の任意構造物であることを特徴とする
【考案の効果】
【０００９】  上記ダンボール製の家具によると、中間紙を蜂の巣状等の多角形断面として全方向に対して剛性の高いダンボールを採用することで、ダンボール製の家具を軽量にして剛性の高いものとし、また、地震時に家具が倒れて下敷きになっても安全である。
更に、引越し時には分離線に貼り付けた貼付帯を剥がすことで家具のダンボールを簡単容易にコンパクトに折り畳めて、片付け仕事が簡便にできる。
更に、箱型に形成される外形体や引出しは、紙シートの間に中間紙が直角に折り曲げ可能に構成されているから、箱型に容易に組み立てられる。
更に、ダンボール製の家具は、整理タンス、チェスト、書籍ボックス他、簡易ハウス、簡易ベッド、簡易机等の任意構造物に対応可能である。
【図面の簡単な説明】
【００１０】
【図１】  本考案の第１実施形態を示し、ダンボール製の家具の正面斜視図である。
【図２】  本考案の第１実施形態を示し、ダンボール製の家具の分離線と貼付帯の関係図およびダンボールの折曲げ図と中間紙の各多角形状の断面図である。
【図３】  本考案の第１実施形態を示し、ダンボール製家具の各種断面図である。
【図４】  本考案の第１実施形態を示し、ダンボール製家具の折畳み図である。
【考案を実施するための形態】
【００１１】  以下、図１乃至図５を参照して本考案の実施の形態となるダンボール製の家具を説明する。
【実施例】
【００１２】  本考案の第１の実施の形態となるダンボール製の家具１０は、その実施形態の一例を示した整理タンスであり、この他チェスト、書籍ボックス他、簡易ハウス、簡易ベッド、簡易机等の任意構造物に対応可能できる。
以下、図１に示す家具１０を整理タンスの構成で説明する。この家具１０は、外側と内側２枚の紙シート１，２と、上記紙シート１，２の間に中間紙３を６角形の蜂の巣状等の全方向に対して剛性の高いダンボールＤとしている。尚、上記中間紙３は８角形の多角形状としても良い。上記ダンボール１を外形体４の箱型に折り曲げ形成し、開放口４Ａを設けた前面には、２つの引出し５を開閉可能に挿入したコンパクトな家具を構成している。上記外形体４の中間位置には、図２に示すように、分離線Ｌに沿って貼付帯Ｏが貼り付けられている。この分離線Ｌは、外側と内側２枚の紙シート１，２にミシン孔１Ａ，２Ａが明けられたもので、各ミシン孔１Ａ，２Ａが作る分離線Ｌは、粘着性の貼付帯Ｏが貼り付けられていて、所定の強度が確保されている。【００１３】  更に、上記外形体４は、図２に示すように、貼付帯Ｏを剥がすと紙シート１，２上の分離線Ｌが現れ、直立姿勢の強度が低下するから外力により容易に分離されたり、折りに曲げられて折り畳まれる。また、外形体４や引出し５は、平板状のダンボールＤを直角に折り曲げて箱型に形成されている。その折曲部４Ｂ，５Ｂ・・・は、図２と図３に示すように、外側と内側２枚の紙シート１，２と、上記紙シート１，２の間に中間紙３が構成され、直角に折り曲げ可能になっている。尚、図３（ａ）〜（ｃ）が平坦状態、図３（ｄ）（ｅ）が直角の折り曲げ状態を示す。各折り曲げられた先端縁間は、図３に示すように、貼付帯Ｏにより固定されるか保持金具Ｋによる事も可能である。【００１４】  第１実施形態となるダンボール製の家具１０によると、以下の様に作用する。
図１〜図５において、上記ダンボール製の家具は、中間紙３を蜂の巣状等の全方向に対して剛性の高いダンボールＤを採用することで、ダンボール製の家具を軽量にして剛性の高いものとして構成されている。これにより、図３（ｄ）（ｅ）に見るように箱型に形成される外形体４や引出し５は、紙シート１，２の間に中間紙３が直角に折り曲げ可能に構成されているから、簡単容易に箱型に組み立てられる。
組立後において、地震時に家具が倒れて下敷きになっても軽量なダンボールＤにより構成されているから安全である。
更に、引越し時には、図  に示すように、分離線Ｌに貼付けた貼付帯Ｏを剥がすことで、分離線Ｌのミシン孔１Ａ，２Ａが現れ、ここで折り曲げたり、２つに分離させられる。これにより、家具１０を構成するダンボールＤを簡単容易にコンパクトに折り畳めて、片付け仕事ができる。【００１５】  上記ダンボール製の家具１０によると、下記の効果が得られる。即ち、中間紙を蜂の巣状等の全方向に対して剛性の高いダンボールを採用することで、ダンボール製の家具を軽量にして剛性の高いものとなる。更に、箱型に形成される外形体や引出しは、紙シートの間に中間紙が直角に折り曲げ可能に構成されているから、箱型に容易に組み立てられる。組立後の日常生活時に、地震に見舞われ家具が倒れて人が下敷きになっても軽量であるから、安全である。【００１６】  更に、引越し時には分離線に貼り付けた貼付帯を剥がすことで家具のダンボールを簡単容易に分離させたり、コンパクトに折り畳めて、片付け仕事が簡便にできる。更に、軽量で紙であるから、搬出作業や焼却処理が簡便にできる。
【産業上の利用可能性】
【００１７】  本考案のダンボール製の家具は、上記実施例に限定されず、考案の技術的範囲内において設計変更が可能である。例えば、本考案のダンボールＤによると、簡易ハウスＨ、易ベッドＢ、簡易机等の任意構造物に対応可能である。
【符号の説明】
【００１８】  １，２      紙シート
１Ａ，２Ａ  ミシン孔
３          中間紙
４          外形体
４Ａ        開放口
４Ｂ，５Ｂ  折曲部
５          引出し
１０        ダンボール製の家具
Ｂ          簡易ベッド
Ｏ          貼付帯
Ｌ          分離線
Ｈ          簡易ハウス
【図１】
0003222387.tif 000003
【図２】
0003222387.tif 000004
【図３】
0003222387.tif 000005
【図４】
0003222387.tif 000006
【手続補正書】
【提出日】令和1年5月14日(2019.5.14)
【手続補正１】
【補正対象書類名】実用新案登録請求の範囲
【補正対象項目名】全文
【補正方法】変更
【補正の内容】
【実用新案登録請求の範囲】
【請求項１】
箱型の外形体と、前記外形体に挿入される引き出しとを備える段ボール製の家具であって、前記外形体および前記引き出しを構成する段ボールは、外面側と内面側を構成する２枚の紙シートと、前記２枚の紙シートの間に配置され、多角形の断面を有する中間紙とからなることを特徴とするダンボール製の家具。
【請求項２】
請求項１に記載のダンボール製の家具において、前記外形体または前記引出しに分離線を設け、前記分離線に貼付帯を貼り付けたことを特徴とするダンボール製の家具。
【請求項３】
請求項１に記載のダンボール製の家具において、前記中間紙が、前記２枚の紙シートを直角に折り曲げ可能に構成されていることを特徴とするダンボール製の家具。
【請求項４】
請求項１〜３のいずれかに記載のダンボール製の家具において、前記段ボール製の家具は、整理タンス、チェスト、書籍ボックス、簡易ベッド、簡易机のいずれかであることを特徴とするダンボール製の家具。